(57)【要約】      （修正有）【課題】ユーザが血液色比較対照領域の色を吸収製品上の血色と比較することで、対応する生理状況を判定することができ、極めて簡単便利であり、コストが低く、清潔かつ健康的である女性衛生用使い捨て吸収製品を提供する。【解決手段】人体に向ける表面層と、人体に対向する底面層と、表面層と底面層との間に位置し液体を吸収するための吸収層とを含み、底面層または表面層には、その周縁以外の領域と色差がある血液色比較対照領域（色ストリップ２１〜２３）が設けられている。【選択図】図１
0003207802.tif 000002
【実用新案登録請求の範囲】
【請求項１】
人体に向ける表面層と、人体に対向する底面層と、表面層と底面層との間に位置し液体を吸収するための吸収層とを含み、
前記底面層または表面層には、その周縁以外の領域と色差がある血液色比較対照領域が設けられていることを特徴とする女性衛生用使い捨て吸収製品。
【請求項２】
前記血液色比較対照領域の数は２つ以上であり、各血液色比較対照領域の間には色差があることを特徴とする請求項１に記載の女性衛生用使い捨て吸収製品。
【請求項３】
前記血液色比較対照領域の色は人の血液色であることを特徴とする請求項１に記載の女性衛生用使い捨て吸収製品。
【請求項４】
前記血液色比較対照領域は、底面層または表面層に貼付された色ストリップまたは色ブロックであり、若しくは底面層または表面層にプリントされた色ストリップまたは色ブロックであることを特徴とする請求項１に記載の女性衛生用使い捨て吸収製品。
【請求項５】
前記色ストリップまたは色ブロックは、底面層または表面層に貼着または押圧接合されていることを特徴とする請求項４に記載の女性衛生用使い捨て吸収製品。
【請求項６】
前記血液色比較対照領域は表面層の前縁または側縁に設けられていることを特徴とする請求項１に記載の女性衛生用使い捨て吸収製品。
【請求項７】
前記使い捨て吸収製品の表面層及び底面層は中間にある主体と両側にある翼片とを含み、前記血液色比較対照領域は表面層側縁であって表面層の翼片に位置することを特徴とする請求項６に記載の女性衛生用使い捨て吸収製品。
【請求項８】
前記表面層の色は白色、ベージュ色、ピンク色または浅緑色であり、前記血液色比較対照領域は表面層に位置することを特徴とする請求項１に記載の女性衛生用使い捨て吸収製品。
【考案の詳細な説明】
【技術分野】
【０００１】
本考案は、女性衛生用の吸収製品分野に関し、特に女性衛生用使い捨て吸収製品に関するものである。
【背景技術】
【０００２】
女性衛生用使い捨て吸収製品、例えば生理用ナプキン（衛生用のナプキンともいう）は、吸収力を有する物質であり、主な材質が綿、不織布、パルプまたはそれらの材質の複合物からなる高分子重合物及び高分子重合物複合紙である。
【０００３】
生理用ナプキンの構造は、一般に、人体に向ける表面層と、人体に対向する底面層と、表面層と底面層との間に位置し液体を吸収するための吸収層とを含み、側辺が側漏れを防止し、底面層が非透水材質で月経血を生理用ナプキンに残留させるように構成することにより、女性の生理期間における膣からの月経血を吸収することができる。
【０００４】
女性の清潔用品として、生理用ナプキンは、現在、その基本用途のみならず、その他の関連機能も消費者に重視されるようになっている。生理の正常が女性の体の健康を表すものであるため、漢方医の気血理論によれば、月経血の色から女性の気血が十分であるか、体が健康であるかを判定することができる。月経血の色が薄い場合は、大体“虚”に関係しており、例えば気虚、血虚、脾虚、腎虚または痰湿が挙げられる。月経血の色が濃い場合は、大体“実、熱、鬱、堵”に関係しており、例えば深紅、黒紅、紫がかった深紅、紫がかった黒、真っ黒が挙げられる。異なる血液色は、異なる健康状態に対応し、色の区画に応じて異なる数値に対応し、数値で健康程度を直感的に反映することができる。しかしがら、現在、生理用ナプキンにおける月経血の色を単純に観察し健康状態を判定することは、比較対照が欠けているため、容易なことでなく、誤判断も生じやすくなる。
【考案の概要】
【考案が解決しようとする課題】
【０００５】
本考案は、ユーザが月経血の色を通じて健康状態を容易に判定するようにするための女性衛生用使い捨て吸収製品を提供することを目的とする。
【０００６】
上記の目的を実現するために、本考案は、人体に向ける表面層と、人体に対向する底面層と、表面層と底面層との間に位置し液体を吸収するための吸収層とを含み、前記底面層または表面層には、その周縁以外の領域と色差がある血液色比較対照領域が設けられていることを特徴とする女性衛生用使い捨て吸収製品を提供する。
【０００７】
好ましくは、前記血液色比較対照領域の数は２つ以上であり、各血液色比較対照領域の間には色差がある。
【０００８】
好ましくは、前記血液色比較対照領域の色は人の血液色である。
【０００９】
好ましくは、前記血液色比較対照領域は、底面層または表面層に貼付された色ストリップまたは色ブロックであり、若しくは底面層または表面層にプリントされた色ストリップまたは色ブロックである。
【００１０】
好ましくは、前記色ストリップまたは色ブロックは、底面層または表面層に貼着または押圧接合されている。
【００１１】
好ましくは、前記血液色比較対照領域は表面層の前縁または側縁に設けられている。
【００１２】
好ましくは、前記使い捨て吸収製品の表面層及び底面層は中間にある主体と両側にある翼片とを含み、前記血液色比較対照領域は表面層側縁であって表面層の翼片に位置する。
【００１３】
好ましくは、前記表面層の色は白色、ベージュ色、ピンク色または浅緑色であり、前記血液色比較対照領域は表面層に位置する。
【００１４】
従来の女性衛生用吸収製品と比較すると、本考案は、ユーザが観察できるための血液色比較対照領域を吸収製品表面に設けることにより、ユーザが血液色比較対照領域の色を吸収製品上の血色と比較することで、対応する生理状況を判定することができ、極めて簡単便利であり、コストが低く、清潔かつ健康的である。
【図面の簡単な説明】
【００１５】
【図１】本考案に係る具体的な実施方法における使い捨て吸収製品の構造模式図である。
【考案を実施するための形態】
【００１６】
本考案に係る技術内容、構造特徴、実現しようとする目的及び効果を説明するために、以下、実施方法について図面を参照ながら詳しく説明する。
【００１７】
図1に示すように、本実施例は、人体に向ける表面層、即ち人体の外陰に接触する一方の面と、人体に対向する底面層と、表面層と底面層との間に位置し液体を吸収するための吸収層とを含むことを特徴とする女性衛生用使い捨て吸収製品、即ち生理用ナプキン１を提供する。図1には、表面層の構造が示されている。
【００１８】
前記底面層または表面層には、その周縁以外の領域と色差がある血液色比較対照領域が設けられている。この実施例において、血液色比較対照領域が表面層に設けられているため、月経血の血痕は、同一面上に位置し、観察が容易となる。
【００１９】
一般の実施例において、女性衛生用使い捨て吸収製品の底面層または表面層、特に表面層の色は、一般に、白色、ベージュ色、ピンク色または浅緑色等である。血液色比較対照領域の色は、表面層上の血痕の色と血液色比較対照領域の色との差異があるか、ないし色の差異程度をユーザが容易に観察できるように、血液色比較対照領域及びその周辺領域、即ち血液色比較対照領域の周縁以外の領域との色差の比較対照により、視覚による比較対照の利便性及び精確性が確保される。本実施例における血液色比較対照領域の色は人の血液色であり、血液色比較対照領域の数は三つ以上であり、図1の実施例に示すように、第1の色ストリップ２１、第2の色ストリップ２２、第3の色ストリップ２３である。各血液色比較対照領域の間には色差があり、即ち３つの血液色比較対照領域には色の異なる3種の色ストリップが設けられている。3種の色は、それぞれ生理状態の異なる3種の月経血の色に対応するものであり、色の濃淡の相違のものでもよいが、色の色調の相違のものでもよい。複数の色は、ユーザが素早く異なる生理、健康状態に対応できるようにするためのものである。
【００２０】
本実施例において、血液色比較対照領域は、底面層または表面層に貼付された色ストリップであり、一方、他の実施例において、底面層または表面層にプリントされた色ストリップまたは色ブロックであってもよい。表面層または底面層により強固に付着されるように、色ストリップまたは色ブロックは、底面層または表面層に貼着または押圧接合されている。
【００２１】
本実施例において、上記生理用ナプキンは、翼片付き生理用ナプキンである。具体的には、表面層または底面層の方向から観察すると、表面層及び底面層は、中間にある主体１０と両側にある翼片１２、１３とを含み、翼片は、主体から２つの外側に向けて延在し、生理用ナプキン全体は十字形となっている。第1の色ストリップ２１は、表面層先端１１の周縁近傍に位置し、第2の色ストリップ２２、第3の色ストリップ２３は、表面層側縁に位置し、即ち血液色比較対照領域は表面層の翼片に位置する。一つの実施例において、色ストリップは、表面層末端１４に位置してもよい。このように、血液色比較対照領域が表面層の前縁または側縁に設けられているため、色ストリップは血痕に汚染されにくく、観察が容易になる位置にもある。
【００２２】
本実施例によれば、色の簡単な比較対照により、女性は、自分の血色健康が正常の範囲にあるかを把握するとともに判定することができるため、自分の健康状態をリアルタイムかつ簡単に把握することができる。
【００２３】
上述したものはあくまでも本考案の実施例であり、本考案の請求範囲を限定するものではない。本考案の明細書及び添付図面の内容を利用して完成した等価形状または構造変換、若しくはその他の関連技術分野に直接または間接に運用されているものは、いずれも本考案の技術範囲に入るものである。
【符号の説明】
【００２４】
１  生理用ナプキン
１０  主体
１１  表面層先端
１２  翼片
１３  翼片
１４  表面層末端
２１  第1の色ストリップ
２２  第2の色ストリップ
２３  第3の色ストリップ
【図１】
0003207802.tif 000003